(57)【要約】【課題】背もたれ部をシート部に容易に着脱可能とし、遊技場の椅子として好適に用いられる椅子を提供する。【解決手段】背もたれ部２に設けられた被嵌入部２１の内部空域２２に、シート部３に設けられた嵌入突部５２が嵌入されて、回動操作部材４１の係合部４３を係合位置とすることにより、係合部４３を嵌入突部５２の係止部５３に係止させて、嵌入突部５２を被嵌入部２１から抜き出し不能とする一方、係合部４３を退避位置に位置変換することにより、係止部５３と係止解除されて、嵌入突部５２を被嵌入部２１に抜き挿し可能とするようにした。かかる椅子１は、背もたれ部２を容易に取り付け及び取り外しできることから、遊技場における機台の入れ替え作業の作業効率を改善できるため、該遊技場で好適に用いられ得る。【選択図】図１０
2020062120.tif 000002
【特許請求の範囲】
【請求項１】
脚部に支持されたシート部と、該シート部から起立された背もたれ部とを備えた椅子において、
前記背もたれ部の下部に設けられ、下方開口する内部空域を備えた被嵌入部と、
前記シート部の後部に設けられ、前記被嵌入部の内部空域に着脱可能に嵌入される嵌入突部と、
前記被嵌入部に軸支され、前記被嵌入部の内部空域に回転可能に配された係合部と該被嵌入部の外部で回転可能に配された操作部とを具備する回動操作部材と、
前記嵌入突部に設けられ、前記回動操作部材の係合部が係止される係止部と
を備え、
前記回動操作部材の操作部が回動操作されることにより、該回動操作部材の係合部が、前記被嵌入部の内部空域に嵌入された嵌入突部の係止部に係止されて該嵌入突部を抜き出し不能とする係合位置と、該係止部に係止されることなく前記嵌入突部を前記被嵌入部に抜き挿し可能とする退避位置とに位置変換されるものであることを特徴とする椅子。
【請求項２】
シート部の後部に設けられた嵌入突部は、その上端が、該シート部の上面と略同じ高さ位置または該上面よりも低い位置となるように形成されてなるものであることを特徴とする請求項１に記載の椅子。
【請求項３】
回動操作部材は、被嵌入部に回転可能に支持された支軸部と、該支軸部の上端に設けられた係合部と、該支軸部の下端に設けられた操作部とが一体的に形成されたものであることを特徴する請求項１又は請求項２に記載の椅子。
【請求項４】
被嵌入部と嵌入突部との少なくとも一方には、回動操作部材の係止部を係合位置で保持する状態と保持解除する状態とに変換する保持手段を備えていることを特徴とする請求項１乃至請求項３のいずれか１項に記載の椅子。
【請求項５】
脚部に支持されたシート部と、該シート部から起立された背もたれ部とを備えた椅子において、
前記背もたれ部の下部に設けられ、下方開口する内部空域を備えた被嵌入部と、
前記シート部の後部に設けられ、前記被嵌入部の内部空域に着脱可能に嵌入される嵌入突部と、
前記嵌入突部に軸支され、該嵌入突部が前記被嵌入部の内部空域に嵌入された状態で、該内部空域に回転可能に位置する係合部と、該被嵌入部の外部に回転可能に位置する操作部とを具備する回動操作部材と、
前記被嵌入部に設けられ、前記嵌入突部が該被嵌入部の内部空域に嵌入された状態で、前記回動操作部材の係合部が係止される係止部と
を備え、
前記回動操作部材の操作部が回動操作されることにより、該回動操作部材の係合部は、前記被嵌入部の内部空域に前記嵌入突部が嵌入された状態で該被嵌入部の係止部に係止されて該嵌入突部を抜き出し不能とする係合位置と、該係止部に係止されることなく前記嵌入突部を前記被嵌入部に抜き挿し可能とする退避位置とに位置変換されるものであることを特徴とする椅子。
【発明の詳細な説明】
【技術分野】
【０００１】
本発明は、脚部に支持されたシート部と、該シート部から起立された背もたれ部とを備えた椅子に関する。
【背景技術】
【０００２】
例えば、パチンコ機やスロットマシン等の遊技機が設置される遊技場には、各機台の前方に椅子が配設されており、遊技者が該椅子に座って遊技を行う。こうした遊技場に配設される椅子は、遊技者が比較的長時間座っている場合もあることから、背もたれを有していることが一般的である（例えば、特許文献１）。
【先行技術文献】
【特許文献】
【０００３】
【特許文献１】実用新案登録第３１０４２２４号公報
【発明の概要】
【発明が解決しようとする課題】
【０００４】
ところで、前記遊技場では、パチンコ機やスロットマシン等の機台の入れ替えが比較的頻繁に行われる。重量物である機台の取り外し作業と取り付け作業とを行う際に、機台の前方に配設された椅子が邪魔になる。しかし、一般的な遊技場では、椅子の脚部が床にボルトなどにより取り付けられていることから、機台の入れ替え毎に椅子を移動させることに手間と時間がかかる。
【０００５】
本発明は、前記問題点に鑑みてなされたものであって、椅子を移動させることなく、機台の入れ替え作業を実施可能な椅子を提案することを目的とするものである。
【課題を解決するための手段】
【０００６】
本発明の第一発明は、脚部に支持されたシート部と、該シート部から起立された背もたれ部とを備えた椅子において、前記背もたれ部の下部に設けられ、下方開口する内部空域を備えた被嵌入部と、前記シート部の後部に設けられ、前記被嵌入部の内部空域に着脱可能に嵌入される嵌入突部と、前記被嵌入部に軸支され、前記被嵌入部の内部空域に回転可能に配された係合部と該被嵌入部の外部で回転可能に配された操作部とを具備する回動操作部材と、前記嵌入突部に設けられ、前記回動操作部材の係合部が係止される係止部とを備え、前記回動操作部材の操作部が回動操作されることにより、該回動操作部材の係合部が、前記被嵌入部の内部空域に嵌入された嵌入突部の係止部に係止されて該嵌入突部を抜き出し不能とする係合位置と、該係止部に係止されることなく前記嵌入突部を前記被嵌入部に抜き挿し可能とする退避位置とに位置変換されるものであることを特徴とする椅子である。
【０００７】
かかる構成にあっては、回動操作部材の操作部を回動操作することにより、背もたれ部をシート部から取り外すことができる。詳述すると、本構成の椅子は、背もたれ部の被嵌入部にシート部の嵌入突部が嵌入され且つ回動操作部材の係合部が係合位置とされた状態で、該背もたれ部がシート部に一体的に取り付けられてなる。こうした状態では、当然ながら、人が座って背もたれ部にもたれかかることができる。背もたれ部を取り外す際には、回動操作部材の操作部を回動操作して係合部を退避位置とし、背もたれ部の被嵌入部からシート部の嵌入突部を抜き出すことにより、該背もたれ部をシート部から取り外すことができる。また、背もたれ部を取り付ける際には、回動操作部材の係合部を退避位置に保持した状態で、背もたれ部の被嵌入部にシート部の嵌入突部を嵌入した後に、該回動操作部材を回動操作することにより、係合部を退避位置から係合位置に位置変換する。これにより、背もたれ部がシート部と一体的に取り付けられる。
本構成は、回動操作部材の操作部を回動操作することにより、背もたれ部をシート部に取り付ける作業と取り外す作業とを容易に行うことができる。そのため、前述した遊技場での機台入れ替え作業の際に、背もたれ部を取り外すことにより、椅子を移動させること無く（脚部を床から取り外すこと無く）、該機台の入れ替えを実施できる。このように背もたれ部の取外作業と取付作業とを容易に行うことができるため、前記入れ替え作業にかかる手間と時間とを削減できる。
【０００８】
さらに、回動操作部材の係合部を係合位置とすることにより、背もたれ部の被嵌入部からシート部の嵌入突部を抜き挿し不能とすることから、該背もたれ部をシート部に取り付けた状態で安定させることができる。そのため、このように背もたれ部をシート部に取り付けた状態では、人が背もたれ部に安心してもたれかかることができる。
【０００９】
前述した第一発明の椅子にあって、シート部の後部に設けられた嵌入突部は、その上端が、該シート部の上面と略同じ高さ位置または該上面よりも低い位置となるように形成されてなるものである構成が提案される。
【００１０】
かかる構成にあっては、背もたれ部を取り外した状態で、嵌入突部がシート部の上面よりも上方に突出しないことから、前記した機台の入れ替え作業の際に、該嵌入突部が邪魔にならない。そのため、機台の入れ替え作業の作業効率をさらに向上でき、該作業に要する時間と手間を一層削減できる。
【００１１】
前述した第一発明の椅子にあって、回動操作部材は、被嵌入部に回転可能に支持された支軸部と、該支軸部の上端に設けられた係合部と、該支軸部の下端に設けられた操作部とが一体的に形成されたものである構成が提案される。
【００１２】
かかる構成にあっては、操作部と係合部とが一体に回動することから、該操作部を回動操作することにより、係合部を係合位置と退避位置とに容易かつ安定して位置変換することができる。さらに、こうした回動操作部材を適用することで、シート部の嵌入突部を背もたれ部の被嵌入部に抜き挿し可能な状態（退避位置）と抜き挿し不能な状態（係合位置）とに変換する機構を、比較的単純な構成とできる。そのため、製造にかかる時間と費用とを可及的に抑制できるという優れた利点がある。
【００１３】
前述した第一発明の椅子にあって、被嵌入部と嵌入突部との少なくとも一方には、回動操作部材の係止部を係合位置で保持する状態と保持解除する状態とに変換する保持手段を備えている構成が提案される。
【００１４】
かかる構成によれば、回動操作部材の係止部をシート部の被嵌入部の係合部に係止した状態で保持できることから、背もたれ部とシート部に取り付けた状態で安定して保持できる。このように回動操作部材の係止部を係合位置で保持することにより、不意に背もたれ部がシート部に対して外れてしまうことを防止できるため、背もたれ部に安心してもたれかかることができる。
【００１５】
一方、本発明の第二発明は、脚部に支持されたシート部と、該シート部から起立された背もたれ部とを備えた椅子において、前記背もたれ部の下部に設けられ、下方開口する内部空域を備えた被嵌入部と、前記シート部の後部に設けられ、前記被嵌入部の内部空域に着脱可能に嵌入される嵌入突部と、前記嵌入突部に軸支され、該嵌入突部が前記被嵌入部の内部空域に嵌入された状態で、該内部空域に回転可能に位置する係合部と、該被嵌入部の外部に回転可能に位置する操作部とを具備する回動操作部材と、前記被嵌入部に設けられ、前記嵌入突部が該被嵌入部の内部空域に嵌入された状態で、前記回動操作部材の係合部が係止される係止部とを備え、前記回動操作部材の操作部が回動操作されることにより、該回動操作部材の係合部は、前記被嵌入部の内部空域に前記嵌入突部が嵌入された状態で該被嵌入部の係止部に係止されて該嵌入突部を抜き出し不能とする係合位置と、該係止部に係止されることなく前記嵌入突部を前記被嵌入部に抜き挿し可能とする退避位置とに位置変換されるものであることを特徴とする椅子である。
【００１６】
かかる構成にあっては、前述の第一発明と同様に、背もたれ部の被嵌入部にシート部の嵌入突部が嵌入された状態で、回動操作部材の操作部を回動操作して係合部を係合位置とすることにより、該背もたれ部がシート部に一体的に取り付けられる。そして、背もたれ部を取り外す際には、回動操作部材の操作部を回動操作して係合部を退避位置とし、背もたれ部の被嵌入部からシート部の嵌入突部を抜き出すことにより、該背もたれ部をシート部から取り外すことができる。また、背もたれ部を取り付ける際にあっても、前記第一発明と同様である。こうした第二発明によれば、回動操作部材の操作部を回動操作することにより、背もたれ部をシート部に取り付ける作業と取り外す作業とを容易に行うことができる。そのため、前述の第一発明と同様に、前述した遊技場での機台入れ替え作業にかかる手間と時間とを削減できる。
さらに、回動操作部材の係合部を係合位置とすることにより、背もたれ部をシート部に取り付けた状態で安定させることができるため、人が背もたれ部に安心してもたれかかることができる。
【００１７】
こうした第二発明にあって、嵌入突部は、その上端が、該シート部の上面と略同じ高さ位置または該上面よりも低い位置となるように形成されてなる構成が好適である。この構成にあっても、第一発明に適用した場合と同様の作用効果を奏し得る。
また、第二発明にあって、回動操作部材は、嵌入突部に回転可能に支持された支軸部と、該支軸部の上端に設けられた係合部と、該支軸部の下端に設けられた操作部とが一体的に形成された構成が好適である。この構成にあっても、第一発明に適用した場合と同様の作用効果を奏し得る。
また、第二発明にあって、被嵌入部と嵌入突部との少なくとも一方には、回動操作部材の係止部を係合位置で保持する状態と回転可能な状態とに変換する保持手段を備えている構成が提案される。この構成にあっても、第一発明に適用した場合と同様の作用効果を奏し得る。
【発明の効果】
【００１８】
前述した本発明の椅子によれば、背もたれ部をシート部に取り付ける作業と取り外す作業とを容易に行うことができる。そのため、本発明の椅子を遊技場に設置した場合に、背もたれ部の取り外しと取り付けとを行うことによって、該椅子を移動させること無く、機台の入れ替え作業を実施できることから、該入れ替え作業に要する時間と手間とを大きく削減できる。
【図面の簡単な説明】
【００１９】
【図１】本発明にかかる実施例１の椅子１の、（Ａ）正面図と、（Ｂ）背面図である。
【図２】同上の椅子１の側面図である。
【図３】同上の椅子１の、背もたれ部２をシート部３から取り外した状態を示す側面図である。
【図４】背もたれ部２の下部を示す拡大背面図である。
【図５】（Ａ）被嵌入部２１を上方からみた説明図と、（Ｂ）下方からみた説明図である。
【図６】被嵌入部２１の、図４におけるＰ−Ｐ線断面図である。
【図７】被嵌入部２１の、図５におけるＮ−Ｎ線断面図である。
【図８】回動操作部材４１を示す、（Ａ）側面図と、（Ｂ）正面図である。
【図９】嵌入突部５２の、（Ａ）平面図と、（Ｂ）背面図と、（Ｃ）側面図である。
【図１０】回動操作部材４１の係止部４３を係合位置とした状態を示す説明図である。
【図１１】回動操作部材４１の係止部４３を退避位置とした状態を示す説明図である。
【図１２】実施例２における、回動操作部材９１の係止部９３を係合位置とした状態を示す説明図である。
【図１３】同上の回動操作部材９１の係止部９３を退避位置とした状態を示す説明図である。
【図１４】嵌入突部７２の、（Ａ）背面図と、（Ｂ）側面図である。
【図１５】（Ａ）遊技場に椅子１を設置した状態を示す説明図と、（Ｂ）該椅子１の背もたれ部２を取り外した状態を示す説明図である。
【発明を実施するための形態】
【００２０】
本発明にかかる実施例１，２を添付図面に従って説明する。
本実施例１，２の椅子１は、図１５に示すように、パチンコ機またはスロットマシン等の遊技機１０１が設置された遊技場で、各遊技機１０１に夫々対向するように配置されるものである。尚、本実施例にあって、遊技機１０１に正対した状態で、該遊技機１０１側を表側（前側）とし、逆側を背側（後側）として説明する。
【実施例１】
【００２１】
実施例１の椅子１は、図１，２に示すように、前記遊技場の床面に載置される円板状の基台５と、該基台５の中央部から鉛直上方に立設された軸部７とから構成される脚部４を備える。そして、軸部７の上端に、遊技者が座るシート部３が配設され、該シート部３の後端から所定高さの背もたれ部２が起立する。さらに、椅子１は、シート部３が前記軸部７を回転軸として回転可能であり、脚部４に対してシート部３と背もたれ部２とが一体的に回転できるものである。こうしたシート部３の回転機構については、従来から公知のものを適用できることから、その詳細は省略する。
【００２２】
椅子１は、背もたれ部２がシート部３に着脱可能に取り付けられたものであり、図３に示すように、前記床面に載置された状態で、該背もたれ部２だけを取り外すことが可能である。この背もたれ部２とシート部３とを着脱可能な取付機構１１について、以下に詳細に説明する。尚、この取付機構１１以外の、シート部３の形状や材質などの構造、および背もたれ部２の形状や材質などの構造は、従来から公知のものを適用できるため、詳細を省略する。さらに、脚部４についても、従来から公知のものを適用できるため、詳細を省略する。
【００２３】
前記取付機構１１は、背もたれ部２の背面下部に配設された第一取付体１２と、シート部３の後部に配設された第二取付体１３とから構成されている。そして、第一取付体１２と第二取付体１３とが着脱可能に形成されており、第一取付体１２を第二取付体１３に取り付けることにより、背もたれ部２とシート部３とを一体化することができると共に、該第一取付体１２を第二取付体１３から取り外すことにより、背もたれ部２をシート部３から分離することができる。
【００２４】
第一取付体１２は、図４〜７に示すように、下方開口された内部空域２２を備えた被嵌入部２１と、該被嵌入部２１の回転可能に軸支された回動操作部材４１とを備えてなる。被嵌入部２１は、背もたれ部２の背面に対向状に配される背壁部２３と、該背壁部２３の左右両側縁から表方に夫々延成された側壁部２４，２４と、該背壁部２３の上縁から表方に延成された上壁部２５とを備え、左右の側壁部２４，２４と上壁部２５とが背もたれ部２の背面に、図示しない螺子等により固結されている。そして、背もたれ部２の背面と被嵌入部２１とに囲まれた内部が前記内部空域２２であり、該内部空域２２が下部の開口２６を介して下方に開放されている。ここで、前記背壁部２３は、その横方向の中央部が上下方向に亘って表側に凹む形状をなし、中央部の凹部２３ａと左右両側の側部２３ｂ，２３ｂとにより構成されている。そのため、内部空域２２は、前後方向の幅が狭い中央の幅狭空域２２ａと、該幅の広い左右両側の幅広空域２２ｂ，２２ｂとにより構成される。尚、本実施例の被嵌入部２１は、鋼材により形成されている。
【００２５】
また、前記回動操作部材４１は、図８に示すように、細長い棒状の鋼材が折り曲げられて一体的に形成されてなるものであり、前記背壁部２３の側部２３ｂに軸支される支軸部４２と、該支軸部４２の上端から略直角に折り曲げられた係合部４３と、該支軸部４２の下端から略直角に折り曲げられた操作部４４とから構成されてなる。ここで、実施例１の回動操作部材４１は、係合部４３と操作部４４とが同じ方向に折り曲げられており、略コ字形状を成す。
【００２６】
こうした回動操作部材４１は、図４〜７に示すように、前記被嵌入部２１に回転可能に軸支されている。詳述すると、被嵌入部２１の背壁部２３には、一方の側部２３ｂの内側に、前記回動操作部材４１の支軸部４２を挿通する上下方向の貫通孔３１を備えた軸支部３０が設けられており（図５（Ｂ），図７参照）、該支軸部４２が該貫通孔３１に挿通されることによって該回動操作部材４１が軸支部３０に軸支されている。この回動操作部材４１は、係合部４３が前記貫通孔３１の上方に位置し且つ操作部４４が貫通孔３１の下方に位置するように、被嵌入部２１の軸支部３０に軸支されており、係合部４３が該被嵌入部２１の内部空域２２に配されて、操作部４４が該内部空域２２の下方に配される。また、前記貫通孔３１は、支軸部４２よりも上下方向の寸法が短いことから、回動操作部材４１は、その支軸部４２を該貫通孔３１に挿通された状態のまま、該寸法差の分だけ上下方向に相対移動可能である。
【００２７】
さらに、前記軸支部３０の貫通孔３１の上部孔縁には、背もたれ部２の背面と対向する部位に、回動操作部材４１の係合部４３を嵌め込み可能な保持凹部３２が設けられている。この保持凹部３２は上方開口していることから、回動操作部材４１の係合部４３を前記保持凹部３２に嵌め込むことにより、該回動操作部材４１を回転不能な状態とできる。そして、回動操作部材４１を、係合部４３が保持凹部３２に嵌め込まれた該状態から上方へ移動させることにより、係合部４３が該保持凹部３２から外れ、回動操作部材４１を回転可能な状態とできる。ここで、回動操作部材４１の係合部４３は、その基端部が前記保持凹部３２に嵌め込み可能であり、該嵌め込まれた状態で、該基端部よりも先の部分が該保持凹部３２から前方へ突出する（図１０参照）。また、貫通孔３１が設けられた背壁部２３の一方の側部２３ｂには、その内側壁面の、該貫通孔３１の直上方位置に、回動操作部材４１の係合部４３を収容可能な収容凹部３５が形成されている。本実施例１の収容凹部３５は、回動操作部材４１の係合部４３を背もたれ部２の背面と略平行となるように回転させた状態で、該係合部４３の一部分（側部）を収容可能に形成されている。
【００２８】
一方、前記第二取付体１３は、図３に示すように、シート部３の後部に固結された固定基部５１と、前記被嵌入部２１の内部空域２２に嵌入される嵌入突部５２とから構成されている。固定基部５１は、シート部３の座面（上面）よりも下方部位から後方へ突出するように配設されており、その後端部に前記嵌入突部５２が立設されている。そして、嵌入突部５２は、その上端がシート部３の座面（上面）と略同じ高さ位置となるように設けられている。
ここで、本実施例１にあっては、前記背もたれ部２の被嵌入部２１の内部空域２２に前記嵌入突部５２を嵌入した際に、背もたれ部２の下端部が固定基部５１の上部で支持されるようになっている。これにより、嵌入突部５２は、背もたれ部２の下端部が固定基部５１の上部に支持される高さ位置まで、被嵌入部２１の内部空域２２に嵌入できる。すなわち、嵌入突部５２は、被嵌入部２１の内部空域２２に嵌入できる高さ寸法が決まっている。
【００２９】
この嵌入突部５２は、鋼製の平板を折曲加工して形成されたものであり、図９に示すように、中央部５２ａと、該中央部５２ａの左右側縁から背方へ夫々隆起された隆起部５２ｂ，５２ｂとを備え、中央部５２ａが前記被嵌入部２１の内部空域２２の幅狭空域２２ａに嵌入可能に、且つ左右の隆起部５２ｂ，５２ｂが該内部空域２２の幅広空域２２ｂ，２２ｂに嵌入可能に形成されている。そして、左右の隆起部５２ｂ，５２ｂが内部空域２２の幅狭空域２２ａに嵌入不能である。そのため、嵌入突部５２は被嵌入部２１に嵌入された状態で、横方向位置が決まる。
【００３０】
嵌入突部５２の一方の隆起部５２ｂには、被嵌入部２１の背壁部２３に対向する一側面に、該被嵌入部２１に軸支された回動操作部材４１の係合部４３に係止される係止部５３が突成されている。ここで、係止部５３は、嵌入突部５２を被嵌入部２１の内部空域２２に嵌入された状態で、該嵌入突部５２の、該被嵌入部２１の保持凹部３２の直上方となる部位に設けられている。そして、前記嵌入された状態で、保持凹部３２に嵌め込まれた係合部４３が、係止部５３の直下に位置する（図１０参照）。これにより、背もたれ部２を引き上げようとすると（被嵌入部２１を嵌入突部５２から引き抜こうとすると）、係合部４３が、嵌入突部５２の係止部５３の下部に係止されて、引き抜き不能となる。ここで、係合部４３は、保持凹部３２に嵌め込まれて回動不能であるから、係止部５３に安定かつ確実に係止される。尚、係止部５３は、該嵌入突部５２を被嵌入部２１の内部空域２２に抜き挿しする際に、該抜き挿しの妨げにならないように形成されている。
【００３１】
こうした嵌入突部５２は、前記回動操作部材４１の係合部４３が前記保持凹部３２の直上位置から回動されて係止部５３と係止解除されることにより、被嵌入部２１の内部空域２２に抜き挿し可能となる（図１１参照）。一方、嵌入突部５２を被嵌入部２１の内部空域２２に嵌入した状態で、回動操作部材４１の係合部４３を前記保持凹部３２に嵌め合わせることにより、該係合部４３を該嵌入突部５２の係止部５３に係止させることができ、且つこの状態で保持できる（図１０参照）。これにより、嵌入突部５２が被嵌入部２１から抜き挿し不能となる。
【００３２】
本実施例１にあっては、回動操作部材４１の係合部４３を保持凹部３２の直上位置から回動させて該係合部４３の側部を前記収容凹部３５に収容させた位置が、本発明の退避位置（図４〜７、図１１参照）であり、該係合部４３を前記保持凹部３２に嵌め合わせた位置が、本発明の係合位置（図１０参照）である。そして、回動操作部材４１を回動させることにより、係合部４３を前記退避位置と係合位置とに位置変換することができる。
【００３３】
前述した取付機構１１による背もたれ部２とシート部３との着脱方法について、以下に説明する。
シート部３と背もたれ部２とが一体化された状態では、図１０に示すように、背もたれ部２の背面下部に配設された被嵌入部２１の内部空域２２に、シート部３の後部に配設された嵌入突部５２が嵌入され、さらに回動操作部材４１の係合部４３が、保持凹部３２により係合位置に保持される。これにより、背もたれ部２を引き上げようとすると、保持凹部３２に保持された係合部４３が嵌入突部５２の係止部５３に係止されて、該嵌入突部５２が被嵌入部２１から抜き出し不能である。このように背もたれ部２とシート部３とが一体化されている（図１，２参照）。
【００３４】
背もたれ部２をシート部３から取り外す際には、回動操作部材４１の操作部４４を上側に動かして、係合部４３を被嵌入部２１の保持凹部３２から外した後、該操作部４４を回動させることにより、図１１に示すように該係合部４３を前記退避位置に移動させる。ここで、背もたれ部２の下端部が固定基部５１の上部で支持された状態では、保持凹部３２の上端と嵌入突部５２の係止部５３の下端とに形成される間隙で、回動操作部材４１の係合部４３を回動可能である。そのため、回動操作部材４１を上方へ移動させることにより、係合部４３を保持凹部３２に保持された回動不能な状態から解除でき、この解除後に回動させることにより、該係合部４３を前記退避位置とできる。このように退避位置とした状態では、回動操作部材４１の係合部４３が嵌入突部５２の係止部５３に係止されないことから、該嵌入突部５２が被嵌入部２１の内部空域２２から抜き出し可能となる。そして、背もたれ部２を持ち上げることにより、シート部３の嵌入突部５２を該背もたれ部２の被嵌入部２１から取り外す（図３参照）。こうして背もたれ部２をシート部３から分離できる。
【００３５】
一方、分離した背もたれ部２をシート部３に取り付ける際には、回動操作部材４１の係合部４３を退避位置としたままで、被嵌入部２１の開口２６にシート部３の嵌入突部５２を差し入れることにより、該被嵌入部２１の内部空域２２に嵌入突部５２を嵌入させる（図１１参照）。こうして嵌入した状態で、回動操作部材４１の操作部４４を回動させることにより、係合部４３を退避位置から前記保持凹部３２上まで移動させると、回動操作部材４１の自重により該係合部４３が該保持凹部３２に嵌め合わされて、該係合部４３が前記係合位置に保持される（図１０参照）。こうして回動操作部材４１の係合部４３が前記係合位置で保持されることにより、嵌入突部５２が被嵌入部２１の内部空域２２から抜き出し不能となるため、背もたれ部２がシート部３に取り付けられて一体化される。
【００３６】
このように本実施例１の椅子１は、背面下部に配された回動操作部材４１の操作部４４を回動操作することにより、背もたれ部２をシート部３に一体化した状態と着脱可能な状態とに変換することができ、該背もたれ部２の取り付けと取り外しとを容易に行うことができる。そして、背もたれ部２に配設した被嵌入部２１とシート部３に配設した嵌入突部５２との形状効果により、該嵌入突部５２を被嵌入部２１に嵌入した状態で横方向の位置決めを行うことができるから、該嵌入した状態で前記回動操作部材４１の係合部４３を前記係合位置とすれば、背もたれ部２とシート部３とが分離不能に一体化された状態となる。
【００３７】
かかる実施例１の椅子１は、前述したように遊技場に設置されることにより、有益な効果を奏し得る。すなわち、遊技機１０１が設置された遊技場では、比較的頻繁に機台の入れ替えが行われる。遊技機１０１は、重量物であることから、各機台の前方に設置された椅子が邪魔であり、該避けて運ぶには多大な労力を必要とし、椅子を床面から取り外すには多くの時間と手間がかかる。本実施例１の椅子１は、前述したように、回動操作部材４１を回動操作することによって比較的容易に背もたれ部２を取り外すことができるため（図１５参照）、床面から取り外したり、避けて運んだりすることを要せず、機台の入れ替え作業にかかる時間と手間とを削減できる。そして、こうした背もたれ部２の取り外しと取り付けとを比較的短時間で容易に行えることから、入れ替え作業全体の作業効率を大きく改善することができるという利点もある。
【００３８】
さらに、本実施例１の椅子１は、シート部３の嵌入突部５２が該シート部３の座面と略同じ高さであり、該座面よりも上方に突出していない（図１５（Ｂ）参照）。そのため、機台の入れ替え作業の際に、該機台が嵌入突部５２に接触することを防止できる。仮に、嵌入突部がシート部の座面よりも上方に突出した構成であると、入れ替え作業時に機台が接触して、該接触によりバランスを崩してしまう虞もあり得る。本実施例１の構成によれば、かかる虞が無いため、機台の入れ替え作業をスムーズに実施できるという優れた効果を奏し得る。
【００３９】
また、本実施例１の椅子１は、被嵌入部２１に、回動操作部材４１の係合部４３を係合位置で保持する保持凹部３２を備え、該回動操作部材４１の自重により該係合位置で保持する。そのため、背もたれ部２（被嵌入部２１）を引き抜こうとすると、回動操作部材４１の係合部４３が嵌入突部５２の係止部５３に安定かつ確実に係止される。而して、前述したように背もたれ部２とシート部３とを一体化した状態で安定して保持できると共に、該状態で、使用者が背もたれ部２に安心してもたれかかることができる。
【００４０】
また、本実施例１の椅子１は、背もたれ部２をシート部３から取り外し可能な状態と取り外し不能な状態とに変換する回動操作部材４１の操作部４４が、シート部３の座面よりも下方に位置することから、遊技場の管理者（係員）や入れ替え作業の作業者以外が気付き難い。特に、本実施例１では、係合部４３を係合位置とした状態で操作部４４がシート部３の直下に位置することから、回動操作部材４１が分かり難い。そのため、いたずら等により背もたれ部２がシート部３から取り外されてしまうことを抑制できる。
さらに、回動操作部材４１の係合部４３を係合位置から退避位置に位置変換するために、該係合部４３を保持凹部３２に嵌め合わせた状態から解除することを要することも、前記いたずらの防止効果に寄与する。
【００４１】
また、本実施例１は、回動操作部材４１が、細長い棒状の杆体を折曲加工してなる一体構造物であることから、操作部４４の操作により係合部４３を係合位置と退避位置とに安定して位置変換できる。そして、こうした回動操作部材４１により、取付機構１１が比較的単純な構造とできることから、製造にかかる時間とコストを可及的に抑制することもでき得る。
【００４２】
尚、本実施例１の構成にあって、被嵌入部２１の保持凹部３２により、本発明にかかる保持手段が構成されている。
【実施例２】
【００４３】
実施例２の椅子１は、図１２，１３に示すように、回動操作部材９１がシート部３の嵌入突部７２に軸支されたものであって、該回動操作部材９１の係合部９３が被嵌入部６１の係止部６７に係止されることにより、嵌入突部７２を被嵌入部６１の内部空域６２から抜き出し不能となる。
ここで、本実施例２の構成では、取付機構（図示せず）を構成する第一取付体（図示せず）が、下方開口された内部空域６２を形成する被嵌入部６１を備えてなる。そして、取付機構（図示せず）を構成する第二取付体（図示せず）が、被嵌入部６１に嵌入される嵌入突部７２と、該嵌入突部７２に回転可能に軸支された回動操作部材９１とを備えてなる。
【００４４】
実施例２の被嵌入部６１は、前述の実施例１と同様の背壁部６３と左右の側壁部（図示せず）と上壁部６５とを備え、左右の側壁部と上壁部２５とが背もたれ部２の背面に固結されている。そして、被嵌入部６１と背もたれ部２の背面とに囲まれた内部が内部空域６２であり、該内部空域６２の下部が開口６６を介して下方に開放されている。さらに、背壁部６３の内側には、前方へ突出する係止部６７が設けられている。
【００４５】
一方、嵌入突部７２は、図１４に示すように、シート部３の後部に固結された固定基部５１に立設されており、前述の実施例１と同様に、中央部７２ａと、該中央部７２ａの左右側縁から背方へ夫々隆起された隆起部７２ｂ，７２ｂとを備える。そして、嵌入突部７２の上端がシート部３の座面（上面）と略同じ高さ位置となるように設けられている（図１２，１３参照）。また、本実施例２にあっては、一方の隆起部７２ｂに、回動操作部材９１が回転可能に軸支されている。
【００４６】
ここで、実施例２の回動操作部材９１は、支軸部９２の上端から折り曲げられた係合部９３と、該支軸部９２の下端から折り曲げられた操作部９４とが、互いに逆向きとなるように形成されており、略Ｚ字形状を成す（図１２参照）。
こうした回動操作部材９１は、前記嵌入突部７２に軸支されている。設けられた上下方向の貫通孔７６に軸支されている。詳述すると、図１４に示すように、嵌入突部７２の一方の隆起部７２ｂには、その裏側に、前記貫通孔７６を備えた軸支部７５が設けられている。そして、この貫通孔７６に回動操作部材９１の支軸部９２が挿通されて、該回動操作部材９１が嵌入突部７２の軸支部７５に軸支されている。この軸支部７５は、被嵌入部６１に嵌入された状態で該被嵌入部６１の背壁部６３と対向する背面部（図示せず）と、該背面部の左右両側縁から表方に夫々延成された左右の側面部（図示せず）とから構成されており、該背面部の上部が、前記被嵌入部６１の係止部６７と対向するように設けられている。そして、軸支部７５の背面部の上部には、回動操作部材９１の係合部９３が挿入される保持孔７７が設けられている。この保持孔７７は、回動操作部材９１の係合部９３の基端部を嵌め込み可能に設けられており、嵌め込んだ状態で該回動操作部材９１を回動不能に保持する。そのため、回動操作部材９１の係合部９３は、保持孔７７に嵌め込まれた状態で、該係合部９３の基端部より先の部分が該保持孔７７よりも後方へ突出する。そして、回動操作部材９１は、係合部９３が保持孔７７に嵌め込まれた状態で、該係合部９３の先端部が被嵌入部６１の係止部６７に係止される（図１２参照）。
さらに、前記軸支部７５には、その背面部の上部から一方の側面部の上部に至る作動孔７８が形成されており、前記保持孔７７の上部が該作動孔７８と連通している。この作動孔７８は、回動操作部材９１の係合部９３を挿入可能に設けられており、挿入された状態で該係合部９３を左右方向に回動可能である。これにより、回動操作部材９１の係合部９３を、前記保持孔７７の直上位置と、該直上位置から約９０度回動させた位置とに位置変換させることができる。さらに、前述したように作動孔７８と保持孔７７とが連通していることから、係合部９３を、保持孔７７に嵌め込まれる位置と、該保持孔７７の直上位置（作動孔７８）とに上下動できる。尚、保持孔７７の直上位置から約９０度回動させた位置では、係合部９３が上下動不能である。
【００４７】
前記軸支部７５に軸支された回動操作部材９１は、前述したように、係合部９３が保持孔７７に嵌め込まれることにより、回動不能に保持されると共に被嵌入部６１の係止部６７に係止される。このように係合部９３が保持孔７７に嵌め込まれた位置が、本発明の係合位置（図１２参照）である。
一方、係合部９３が保持孔７７に嵌め込まれた状態（係合位置）から回動操作部材９１を上方へ移動させることにより、該係合部９３を保持孔７７から外して作動孔７８に挿通させ、さらに該回動操作部材９１を約９０度回動させることにより、該係合部９３を前記係止部６７と係止解除できる。このように係合部９３を係止部６７と係止解除した位置が、本発明の退避位置（図１３参照）である。
【００４８】
本実施例２は、回動操作部材９１を回動させることにより、係合部９３を前記退避位置と係合位置とに位置変換することができる。そして、係合部９３は、保持孔７７に嵌め込まれた状態で、前述のように上方へ移動できるものの、軸支部７５の上端部７５ａに当接することから、これ以上の上方移動ができない。すなわち、回動操作部材９１は、保持孔７７と作動孔７８とに挿通された範囲内でのみ、上下左右に移動できる。そして、嵌入突部７２が被嵌入部６１に嵌め込まれた状態で、回動操作部材９１の係合部９３を前記係合位置とすると、該係合部９３は該被嵌入部６１の係止部６７に係止されるものの、相対的に上下動可能である。しかし、係合部９３は、保持孔７７に嵌め込まれた位置と、軸支部７５の上端部７５ａに当接する位置との間で上下動できるのみであり、該上下動のみでは前記係止部６７と係止解除されない。そのため、本実施例２にあっては、回動操作部材９１の係合部９３を係合位置することによって、嵌入突部７２を被嵌入部６１から抜き出し不能である。
【００４９】
実施例２の構成は、前述したように、略Ｚ字形状の回動操作部材９１を嵌入突部７２に軸支し、該回動操作部材９１の係合部９３を係止させる係止部６７を被嵌入部６１に設けるようにした以外の構成を、前記実施例１と同じとするものである。そのため、同じ構成についての説明を適宜省略した。
【００５０】
こうした実施例２の構成における背もたれ部２とシート部３との着脱方向について、以下に説明する。
シート部３と背もたれ部２とが一体化された状態では、図１２に示すように、背もたれ部２の被嵌入部６１の内部空域６２に、シート部３の嵌入突部７２が嵌入され、さらに回動操作部材９１の係合部９３が、保持孔７７により係合位置に保持される。これにより、背もたれ部２を引き上げようとすると、軸支部７５の上端部７５ａに当接された回動操作部材９１の係合部９３が被嵌入部６１の係止部６７に係止されることから、該嵌入突部５２が被嵌入部２１から抜き出し不能である。このように背もたれ部２とシート部３とが一体化されている。
【００５１】
背もたれ部２をシート部３から取り外す際には、回動操作部材９１の操作部９４を上側に動かして、係合部９３を保持孔７７から外した後、該操作部９４を回動させることにより、図１３に示すように該係合部９３を前記退避位置に移動させる。これにより、回動操作部材９１の係合部９３と被嵌入部６１の係止部６７とが係止解除され、嵌入突部７２が被嵌入部６１の内部空域６２から抜き出し可能となる。そして、背もたれ部２を持ち上げることにより、シート部３の嵌入突部７２を該背もたれ部２の被嵌入部６１から取り外す。こうして背もたれ部２をシート部３から分離できる。
【００５２】
さらに、分離した背もたれ部２をシート部３に取り付ける際には、回動操作部材９１の係合部９３を退避位置としたままで、被嵌入部６１の開口６６からシート部３の嵌入突部７２を差し入れることにより、該被嵌入部６１の内部空域６２に嵌入突部７２を嵌入させる（図１３参照）。こうして嵌入された状態で、回動操作部材９１の操作部９４を回動させることにより、係合部９３を退避位置から前記保持孔７７上まで移動させると、回動操作部材９１の自重により該係合部９３が該保持孔７７に嵌め込まれて、前記係合位置に保持される（図１２参照）。こうして回動操作部材４１の係合部４３が前記係合位置で保持されると、前述したように背もたれ部２を引き上げても、嵌入突部７２が被嵌入部６１の内部空域６２から抜き出し不能となるため、背もたれ部２がシート部３に取り付けられて一体化される。
【００５３】
このように本実施例２の構成にあっても、シート部３の後部下に配された回動操作部材９１の操作部９４を回動操作することにより、前記実施例１と同様に、背もたれ部２をシート部３に一体化した状態と着脱可能な状態とに変換することができ、該背もたれ部２の取り付けと取り外しとを容易に行うことができる。
本実施例２の構成は、回動操作部材９１を嵌入突部７２に回動可能に軸支して、該回動操作部材９１の係合部９３を、被嵌入部６１に設けられた係止部６７に係止される係合位置と、係止されない退避位置とに位置変換可能としたものであるから、前述した実施例１と同様の作用効果を奏する。
【００５４】
尚、本実施例２の構成にあって、嵌入突部７２の保持孔７７により、本発明にかかる保持手段が構成されている。
【００５５】
前述した実施例１，２の構成では、シート部３に設けた嵌入突部５２，７２が、その上端を該シート部３の座面と略同じ高さ位置になるようにしたものであるが、これに限らず、該座面よりも下方位置となるように設けることも可能である。この場合にも、前述の実施例１，２と同様の作用効果を奏し得る。
尚、嵌入突部を、その上端がシート部３の座面よりも上方位置となるように配設することも可能である。この構成では、前記入れ替え作業の際に接触することが懸念されるものの、背もたれ部の取り付けや取り外し作業を容易に行うことができる等の有益な作用効果は生じ得る。
【００５６】
また、前述した実施例１の構成では、嵌入突部５２の係止部５３が、該嵌入突部５２の一側面から背方へ突出するものとしたが、回動操作部材４１の係合部４３と係止可能であれば、他の構成を適用することも可能である。例えば、嵌入突部に、回動操作部材の係合部を入出可能な孔または凹部などを形成し、該係合部を該孔などに差し入れた状態を係合位置とする構成としても良い。この構成では、嵌入突部に設けた孔や凹部等が、本発明にかかる係止部である。
同様に、実施例２のように嵌入突部７２に回動操作部材９１を軸支した構成にあっても、被嵌入部の背壁部に、該回動操作部材の係合部を入出可能な孔または凹部等を形成する構成とすることが可能である。
【００５７】
また、前述した実施例１の構成では、被嵌入部２１に設けた保持凹部３２により回動操作部材４１の係合部４３を係合位置で保持するようにしたものであるが、これに限らず、他の保持手段により係合位置で保持する構成とすることも可能である。例えば、係合部４３を係合位置とした状態で、操作部４４を回動不能に保持するロック構造を備えた構成としても良い。又は、嵌入突部の係止部に、回動操作部材の係合部を嵌め合わせることができる保持凹部を備えた構成としても良い。
同様に、実施例２のように嵌入突部７２に回動操作部材９１を軸支した構成にあっても、他の保持手段を用いることが可能である。
【００５８】
また、前述した実施例１，２の鋼製では、被嵌入部２１，６１、回動操作部材４１，９１、および嵌入突部５２，７２を鋼材により形成したものであるが、これに限らず、他の材料により形成することも可能である。例えば、プラスチック製とすることができる。尚、固定基部５１も、同様に、プラスチック製等の他の材料により形成することも可能である。
【符号の説明】
【００５９】
１  椅子
２  背もたれ部
３  シート部
４  脚部
２１，６１  被嵌入部
２２，６２  内部空域
３２  保持凹部
４１，９１  回動操作部材
４２，９２  支軸部
４３，９３  係合部
４４，９４  操作部
５２，７２  嵌入突部
５３，６７  係止部
７７  保持孔
【図１】
2020062120.tif 000003
【図２】
2020062120.tif 000004
【図３】
2020062120.tif 000005
【図４】
2020062120.tif 000006
【図５】
2020062120.tif 000007
【図６】
2020062120.tif 000008
【図７】
2020062120.tif 000009
【図８】
2020062120.tif 000010
【図９】
2020062120.tif 000011
【図１０】
2020062120.tif 000012
【図１１】
2020062120.tif 000013
【図１２】
2020062120.tif 000014
【図１３】
2020062120.tif 000015
【図１４】
2020062120.tif 000016
【図１５】
2020062120.tif 000017